(57)【要約】【課題】イベントの開催に必要なアセットを十分に所有していないイベント開催者が想定する収支に見合うイベントの開催を効率よく支援する。【解決手段】サーバは、イベントの内容および日時とイベント会場の場所とを少なくとも含むイベント情報を受信する受信部と、イベント情報の受信に応じて、複数人の顧客の端末にイベント情報を送り、イベントの参加意思表示の有無に基づいて、イベントの開催可否を判定するプロセッサと、を備える。プロセッサは、イベントの開催の支援が許可され、イベント会場内での複数人のイベント参加顧客の端末に対する無線通信サービスを提供する第１の自動運転車両からの、イベントの開催の支援が許可されていない外部端末からの無線アクセスに関する情報に基づいて、外部端末からの無線アクセスを不許可する旨を第１の自動運転車両に指示するとともに、イベント会場内での外部端末の存在を報知する。【選択図】図１０
2020166769.tif 000002
【特許請求の範囲】
【請求項１】
イベントの内容および日時を少なくとも含むイベント情報を受信する通信部と、
前記イベント情報の受信に応じて、複数人の顧客のそれぞれの端末にイベント会場の場所を含む前記イベント情報を送り、それぞれの前記顧客の操作に基づく前記イベントの参加意思表示の有無に基づいて、前記イベントの開催可否を判定するプロセッサと、を備え、
前記通信部は、前記イベントの開催の支援が許可され、前記イベント会場内での複数人のイベント参加顧客のそれぞれの端末に対する無線通信サービスを提供する第１の自動運転車両から、前記イベントの開催の支援が許可されていない外部端末からの無線アクセスに関する情報を受信し、
前記プロセッサは、前記無線アクセスに関する情報に基づいて、前記外部端末からの無線アクセスを不許可する旨を前記第１の自動運転車両に指示するとともに、前記イベント会場内での前記外部端末の存在を報知する、
サーバ。
【請求項２】
前記プロセッサは、
前記イベントの開催を支援する前記第１の自動運転車両を含む複数の自動運転車両のそれぞれに、前記イベント情報を含むサービス提供を要求し、その提供されるサービス内容の回答情報を前記複数の自動運転車両のそれぞれから取得する、
請求項１に記載のサーバ。
【請求項３】
前記プロセッサは、
前記外部端末の存在を報知する情報を、前記イベント会場内に存在する前記イベント参加顧客の端末に表示させる、
請求項１に記載のサーバ。
【請求項４】
前記プロセッサは、
前記外部端末の存在を報知する情報を、前記イベント会場内に存在する前記第１の自動運転車両が備えるディスプレイに表示させる、
請求項１に記載のサーバ。
【請求項５】
前記通信部は、
前記イベントの開催の支援が許可され、前記イベント会場内での複数人のイベント参加顧客に飲食物を提供する第２の自動運転車両との間で無線通信が可能であり、
前記プロセッサは、
前記外部端末の存在を報知する情報を、前記イベント会場内に存在する前記第２の自動運転車両が備えるディスプレイに表示させる、
請求項１に記載のサーバ。
【請求項６】
前記通信部は、
前記イベント会場内での前記第１の自動運転車両による前記無線通信サービスを含む、前記イベントの開催を支援する複数のサービスのそれぞれの提供場所を示すイベント配置図データを前記イベント参加顧客の端末に送る、
請求項１に記載のサーバ。
【請求項７】
サーバにより実行されるイベント開催支援方法であって、
イベントの内容および日時を少なくとも含むイベント情報を受信し、
前記イベント情報の受信に応じて、複数人の顧客のそれぞれの端末にイベント会場の場所を含む前記イベント情報を送り、
それぞれの前記顧客の操作に基づく前記イベントの参加意思表示の有無に基づいて、前記イベントの開催可否を判定し、
前記イベントの開催の支援が許可され、前記イベント会場内での複数人のイベント参加顧客のそれぞれの端末に対する無線通信サービスを提供する第１の自動運転車両から、前記イベントの開催の支援が許可されていない外部端末からの無線アクセスに関する情報を受信し、
前記無線アクセスに関する情報に基づいて、前記外部端末からの無線アクセスを不許可する旨を前記第１の自動運転車両に指示するとともに、前記イベント会場内での前記外部端末の存在を報知する、
イベント開催支援方法。
【請求項８】
イベントの内容および日時を少なくとも含むイベント情報の受信に応じて、複数人の顧客のそれぞれの端末にイベント会場の場所を含む前記イベント情報を送り、それぞれの前記顧客の操作に基づく前記イベントの参加意思表示の有無に基づいて、前記イベントの開催可否を判定するサーバと、
前記サーバにより前記イベントの開催の支援が許可され、前記イベント会場内での複数人のイベント参加顧客のそれぞれの端末に対する無線通信サービスを提供する第１の自動運転車両と、を備え、
前記サーバは、
前記イベントの開催の支援が許可されていない外部端末からの無線アクセスが前記第１の自動運転車両により検知された場合に、前記第１の自動運転車両から送られた前記無線アクセスに関する情報に基づいて、前記無線アクセスを不許可する指示を前記第１の自動運転車両に送るとともに、前記イベント会場内での前記外部端末の存在を報知する、
イベント開催支援システム。
【請求項９】
前記サーバは、
前記第１の自動運転車両を含む複数の自動運転車両を、前記イベントの開催を支援する自動運転車両として許可し、
前記複数の自動運転車両には、前記イベント会場内での複数人のイベント参加顧客のそれぞれの端末への電源の充電サービスを提供する第２の自動運転車両が含まれる、
請求項８に記載のイベント開催支援システム。
【発明の詳細な説明】
【技術分野】
【０００１】
本開示は、サーバ、イベント開催支援システムおよびイベント開催支援方法に関する。
【背景技術】
【０００２】
従来、ドライバーが不在の自動運転車両内に人物が乗車している間に仕事ができたり会議に参加できたりする環境を提供する技術の検討が進められている（例えば、特許文献１参照）。この特許文献１では、移動中の会議実行機能がカレンダーシステムと連携しており、一部あるいは全ての会議の参加者が職場または他の目的地までの通勤中に電話会議あるいは車両内での会議を行うスケジュールを会議の運営者が計画すると、移送支援システムが出席者をピックアップするために自動運転車両に移動を指示する。自動運転車両は、車内内において生産性よく会議できる環境を会議の出席者に提供する。
【先行技術文献】
【特許文献】
【０００３】
【特許文献１】米国特許出願公開第２０１８／０１３７４７０号明細書
【発明の概要】
【発明が解決しようとする課題】
【０００４】
個人が何かしらのイベント（例えば野外での飲食サービス）の開催を希望している場合、その個人はイベントの実行に必要なアセット（例えばイベント会場等の場所、飲食物の調理器具）を十分に所有していないことがある。特許文献１では、上述したようなアセットを十分に所有していない個人のイベント開催を支援する技術的な仕組みは考慮されていない。仮に従来技術によってアセットを十分に所有していない個人でもイベント開催が可能となった場合でも、イベント開催中に同様な飲食サービスを行う競合店舗がイベント会場内で勝手に構えられてしまうと、本来のイベント会場に足を運んだ一部の顧客の興味が競合店舗に奪われて当初想定した収支に合わなくなるという可能性があった。このため、イベント開催者が参加予定の顧客の数に合わせて当初想定する収支に見合うイベントの開催を効率的に支援する点において、従来技術に比べて改善の余地があった。
【０００５】
本開示は、上述した従来の事情に鑑みて案出され、イベントの開催に必要なアセットを十分に所有していないイベント開催者が想定する収支に見合うイベントの開催を効率よく支援するサーバ、イベント開催支援システムおよびイベント開催支援方法を提供することを目的とする。
【課題を解決するための手段】
【０００６】
本開示は、イベントの内容および日時を少なくとも含むイベント情報を受信する通信部と、前記イベント情報の受信に応じて、複数人の顧客のそれぞれの端末にイベント会場の場所を含む前記イベント情報を送り、それぞれの前記顧客の操作に基づく前記イベントの参加意思表示の有無に基づいて、前記イベントの開催可否を判定するプロセッサと、を備え、前記通信部は、前記イベントの開催の支援が許可され、前記イベント会場内での複数人のイベント参加顧客のそれぞれの端末に対する無線通信サービスを提供する第１の自動運転車両から、前記イベントの開催の支援が許可されていない外部端末からの無線アクセスに関する情報を受信し、前記プロセッサは、前記無線アクセスに関する情報に基づいて、前記外部端末からの無線アクセスを不許可する旨を前記第１の自動運転車両に指示するとともに、前記イベント会場内での前記外部端末の存在を報知する、サーバを提供する。
【０００７】
また、本開示は、サーバにより実行されるイベント開催支援方法であって、イベントの内容および日時を少なくとも含むイベント情報を受信し、前記イベント情報の受信に応じて、複数人の顧客のそれぞれの端末にイベント会場の場所を含む前記イベント情報を送り、それぞれの前記顧客の操作に基づく前記イベントの参加意思表示の有無に基づいて、前記イベントの開催可否を判定し、前記イベントの開催の支援が許可され、前記イベント会場内での複数人のイベント参加顧客のそれぞれの端末に対する無線通信サービスを提供する第１の自動運転車両から、前記イベントの開催の支援が許可されていない外部端末からの無線アクセスに関する情報を受信し、前記無線アクセスに関する情報に基づいて、前記外部端末からの無線アクセスを不許可する旨を前記第１の自動運転車両に指示するとともに、前記イベント会場内での前記外部端末の存在を報知する、イベント開催支援方法を提供する。
【０００８】
また、本開示は、イベントの内容および日時を少なくとも含むイベント情報の受信に応じて、複数人の顧客のそれぞれの端末にイベント会場の場所を含む前記イベント情報を送り、それぞれの前記顧客の操作に基づく前記イベントの参加意思表示の有無に基づいて、前記イベントの開催可否を判定するサーバと、前記サーバにより前記イベントの開催の支援が許可され、前記イベント会場内での複数人のイベント参加顧客のそれぞれの端末に対する無線通信サービスを提供する第１の自動運転車両と、を備え、前記サーバは、前記イベントの開催の支援が許可されていない外部端末からの無線アクセスが前記第１の自動運転車両により検知された場合に、前記第１の自動運転車両から送られた前記無線アクセスに関する情報に基づいて、前記無線アクセスを不許可する指示を前記第１の自動運転車両に送るとともに、前記イベント会場内での前記外部端末の存在を報知する、イベント開催支援システムを提供する。
【発明の効果】
【０００９】
本開示によれば、イベントの開催に必要なアセットを十分に所有していないイベント開催者が想定する収支に見合うイベントの開催を効率よく支援できる。
【図面の簡単な説明】
【００１０】
【図１】実施の形態１に係るイベント開催支援システムの概要を例示する図
【図２】図１に示すサーバの構成を例示するブロック図
【図３】図１に示す店舗車両の構成を例示するブロック図
【図４】図１に示す場所提供者端末の構成を例示するブロック図
【図５】図１に示す充電サービス提供車両の構成を例示するブロック図
【図６】図１に示すアクセス検知車両の構成を例示するブロック図
【図７】図１に示す広告車両の構成を例示するブロック図
【図８】図１に示す顧客端末の構成を例示するブロック図
【図９】図１に示すイベント開催者端末の構成を例示するブロック図
【図１０】サーバの動作手順を例示するフローチャート
【図１１】実施の形態１に係るイベント開催支援システムの動作手順の第１例を示すシーケンス図
【図１２】実施の形態１に係るイベント開催支援システムの動作手順の第２例を示すシーケンス図
【図１３】顧客端末に表示されるイベント配置図データの例を示す図
【発明を実施するための形態】
【００１１】
以下、適宜図面を参照しながら、本開示に係るサーバ、イベント開催支援システムおよびイベント開催支援方法を具体的に開示した複数の実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面および以下の説明は、当業者が本開示を十分に理解するために提供されるのであって、これらにより特許請求の範囲に記載の主題を限定することは意図されていない。
【００１２】
また、実施の形態でいう「部」または「装置」とは単にハードウェアによって実現される物理的構成に限定されず、その構成が有する機能をプログラム等のソフトウェアにより実現されるものも含む。また、１つの構成が有する機能が２つ以上の物理的構成により実現されても、または２つ以上の構成の機能が例えば１つの物理的構成によって実現されていても構わない。
【００１３】
以下、イベントの開催に必要なアセットを十分に所有していないイベント開催者（例えば個人）に対し、複数の自動運転車両を収集してそれぞれの自動運転車両から提供されるサービスによってイベントの開催を技術的に支援するためのイベント開催支援システムの例について説明する。以下の説明を分かり易くするために、イベントとして野外の飲食サービス（例えば屋外レストラン）１つを例示し、そのイベントを開催するためのイベント会場として駐車場等の物理的に閉鎖された空間を例示する。また、イベントに参加することがと許可された顧客の人数をＫ（Ｋ：２以上の既定の整数）とする。なお、イベントは上述した屋外レストランに限定されないし、１つのサービス要素に限定されなくてもよい。
【００１４】
＜イベント開催支援システムの全体構成＞
図１は、実施の形態１に係るイベント開催支援システム１の概要を例示する図である。図１に示すように、イベント開催支援システム１は、サーバ１０と、アクセス検知車両５０（第１の自動運転車両の一例）とを少なくとも含む構成である。また、イベント開催支援システム１は、店舗車両２０（第２の自動運転車両の一例）と、充電サービス提供車両４０（第３の自動運転車両の一例）と、広告車両６０と、送迎車両ＴＸ１とを更に含んでもよい。
【００１５】
サーバ１０、店舗車両２０、場所提供者端末３０、充電サービス提供車両４０、アクセス検知車両５０、広告車両６０、顧客端末７０（端末の一例）、イベント開催者端末８０および送迎車両ＴＸ１は、それぞれネットワークＮＷ１を介して接続される。ネットワークＮＷ１は、少なくとも有線または無線の回線を含み、またインターネット回線を一部または全部含んで構成され、例えばローカルエリアネットワーク（ＬＡＮ：Local Area Network）、ワイドエリアネットワーク（ＷＡＮ：Wide Area Network）、携帯電話ネットワークおよび他の種類のネットワークを適宜含むことも可能である。
【００１６】
イベント開催中、店舗車両２０と、充電サービス提供車両４０と、アクセス検知車両５０と、広告車両６０とは、イベント開催者ＰＬＮ１のイベント開催者端末８０への操作に基づくサーバ１０の処理により、場所提供者端末３０により予めイベント会場として予約登録された駐車場ＰＲＫ１内に収集され、駐車場ＰＲＫ１内のそれぞれ所定の場所に配置される。また、イベント開催中には、イベント参加が許可と判定された複数人の顧客ＧＳＴ１がそれぞれ自身の顧客端末７０（例えばスマートフォン）を所持しながら来場する。以下、イベント参加が許可と判定された顧客を、「イベント参加顧客」と称する場合がある。
【００１７】
サーバ１０は、イベント開催支援システム１において、イベント開催者ＰＬＮ１が開催希望しているイベントの開催を支援するために、イベント開催支援システム１を構成する各端末あるいは自動運転車両との間のデータあるいは情報の送受信を統括的に管理制御する。サーバ１０は、イベント開催者ＰＬＮ１の操作により、イベントの内容および日時を少なくとも含むイベント情報をイベント開催者端末８０から受信すると、予めユーザ登録されている顧客ＧＳＴ１のそれぞれの顧客端末７０にイベントの日時および内容に適合するイベント会場の場所を含むイベント情報を送る。サーバ１０は、それぞれの顧客ＧＳＴ１の操作に基づいて生成されるイベントの参加意思表示の有無に基づいて、イベントの開催可否を判定する。なお、サーバ１０の具体的な内部構成については、図２を参照して後述する。
【００１８】
店舗車両２０は、イベント開催者ＰＬＮ１がイベント開催できるようにサーバ１０によりイベントの開催の支援が許可された自動運転車両である。店舗車両２０は、サーバ１０からイベント情報を受信すると、店舗車両２０の管理者（図示略）の操作により、イベント開催中のサービス提供内容情報を生成してサーバ１０に送る。店舗車両２０は、イベント開催前にイベント会場である駐車場ＰＲＫ１に到着し、イベント開催中には飲食サービスを提供するためにそのまま停車している。例えば、店舗車両２０は、イベント参加顧客に提供する飲食物を調理したり準備したりする少なくとも１人の料理スタッフにより使用される。なお、店舗車両２０の具体的な内部構成については、図３を参照して後述する。
【００１９】
場所提供者端末３０は、例えばＰＣ（Personal Computer）等のコンピュータにより構成される。場所提供者端末３０は、イベント開催者ＰＬＮ１がイベント開催できるように、サーバ１０によりイベントの開催の要請（言い換えると、協力）を受けたイベント会場としての駐車場ＰＲＫ１を管理する駐車場管理者（図示略）により使用される端末である。場所提供者端末３０は、サーバ１０からイベント情報を受信すると、駐車場管理者の操作により、そのイベント情報に含まれる日時における駐車場ＰＲＫ１の予約可否を示す予約確認情報とイベント開催中のサービス提供内容情報とを対応付けて生成してサーバ１０に送る。なお、場所提供者端末３０の具体的な内部構成については、図４を参照して後述する。
【００２０】
充電サービス提供車両４０は、イベント開催者ＰＬＮ１がイベント開催できるようにサーバ１０によりイベントの開催の支援が許可された自動運転車両である。充電サービス提供車両４０は、サーバ１０からイベント情報を受信すると、充電サービス提供車両４０の管理者（図示略）の操作により、イベント開催中のサービス提供内容情報を生成してサーバ１０に送る。充電サービス提供車両４０は、イベント開催前にイベント会場である駐車場ＰＲＫ１に到着し、イベント開催中にはイベント参加顧客のそれぞれが所持する顧客端末７０への電源の充電サービスを提供するためにそのまま停車している。また、充電サービス提供車両４０は、イベント参加顧客のそれぞれの顧客端末７０以外に、イベント開催を支援するためにサーバ１０から許可された正規のサービス提供者による自動運転車両に電源を充電してもよい。なお、充電サービス提供車両４０の具体的な内部構成については、図５を参照して後述する。
【００２１】
アクセス検知車両５０は、イベント開催者ＰＬＮ１がイベント開催できるようにサーバ１０によりイベントの開催の支援が許可された自動運転車両である。アクセス検知車両５０は、サーバ１０からイベント情報を受信すると、アクセス検知車両５０の管理者（図示略）の操作により、イベント開催中のサービス提供内容情報を生成してサーバ１０に送る。アクセス検知車両５０は、イベント開催前にイベント会場である駐車場ＰＲＫ１に到着し、イベント開催中にはイベント参加顧客のそれぞれが所持する顧客端末７０への無線通信サービスを提供するためのアクセスポイント（基地局）として停車している。また、アクセス検知車両５０は、イベント参加顧客のそれぞれの顧客端末７０以外、イベント開催を支援するためにサーバ１０から許可された正規のサービス提供者による自動運転車両に無線通信サービスを提供してもよい。なお、アクセス検知車両５０の具体的な内部構成については、図６を参照して後述する。
【００２２】
広告車両６０は、イベント開催者ＰＬＮ１がイベント開催できるようにサーバ１０によりイベントの開催の支援が許可された自動運転車両である。広告車両６０は、サーバ１０からイベント情報を受信すると、広告車両６０の管理者（図示略）の操作により、イベント開催中のサービス提供内容情報を生成してサーバ１０に送る。広告車両６０は、イベント開催前にイベント会場である駐車場ＰＲＫ１に到着し、イベント開催中にはイベント参加顧客を対象とした広告内容を報知するために停車している。なお、広告車両６０は、イベント開催中において駐車場ＰＲＫ１内の適宜移動しても構わない。これにより、イベント参加顧客のそれぞれに対して、イベントに関連する広告、あるいは複数人の顧客の性別、年齢等を考慮した広告内容を広範に宣伝できるので、イベント開催者ＰＬＮ１にとって大きな広告収入が見込める。なお、広告車両６０の具体的な内部構成については、図７を参照して後述する。
【００２３】
顧客端末７０は、イベントへの参加を申し込む顧客ＧＳＴ１により所持される端末であり、例えば無線通信が可能なスマートフォンあるいはタブレット端末等の携帯型の端末である。顧客端末７０は、サーバ１０から発信されたイベント情報（上述参照）を受信すると、そのイベント情報の内容を見た顧客ＧＳＴ１の操作により、イベントへの参加の申し込みを示す参加意思表示の情報を生成してサーバ１０に送る。なお、顧客端末７０の具体的な内部構成については、図８を参照して後述する。
【００２４】
イベント開催者端末８０は、例えばＰＣ等のコンピュータにより構成される。イベント開催者端末８０は、イベント開催者ＰＬＮ１により使用される端末である。イベント開催者端末８０は、イベント開催者ＰＬＮ１の操作により、イベントの内容および日時を少なくとも含むイベント情報を生成してサーバ１０に送る。なお、イベント開催者端末８０の具体的な内部構成については、図９を参照して後述する。
【００２５】
送迎車両ＴＸ１は、イベント開催者ＰＬＮ１がイベント開催できるようにサーバ１０によりイベントの開催の支援が許可された自動運転車両である。送迎車両ＴＸ１は、サーバ１０からイベント情報を受信すると、送迎車両ＴＸ１の管理者（図示略）の操作により、イベント開催中のサービス提供内容情報を生成してサーバ１０に送る。送迎車両ＴＸ１は、一部のイベント参加顧客から予約を受けた場合に、イベント開催前にその予約を行ったイベント参加顧客の居場所に移動してピックアップした後にイベント会場である駐車場ＰＲＫ１に送迎する。なお、送迎車両ＴＸ１はイベント開催支援システム１の構成から省略されてもよい。
【００２６】
＜サーバの構成＞
図２は、図１に示すサーバ１０の構成を例示するブロック図である。サーバ１０は、プロセッサＰＲＣ１と、メモリ１２と、通信部１３と、記録装置１４とを含む構成である。なお、サーバ１０はオンプレミスで構築されてもよいし、クラウドサービスを用いて構築されてもよい。
【００２７】
メモリ１２は、一次記憶装置（例えばＲＡＭ（Random Access Memory）、ＲＯＭ（Read Only Memory））を用いて構成され、サーバ１０の動作の実行に必要なプログラム、さらには、動作中に生成されたデータあるいは情報を一時的に保存する。ＲＡＭは、例えばプロセッサＰＲＣ１の動作時に使用されるワークメモリである。ＲＯＭは、例えばプロセッサＰＲＣ１を制御するためのプログラムを予め記憶する。また、メモリ１２は、イベント情報を発信（送信）するための宛先となるユーザ登録された複数人の顧客ＧＳＴ１のそれぞれのユーザ情報を保存している。なお、それぞれのユーザ情報は、対応する顧客の氏名、年齢、性別以外に、イベント開催支援システム１の会員としてのユーザＩＤ、その顧客が所持する顧客端末７０のメールアドレス、顧客端末７０の識別情報、無線通信時に用いるＳＳＩＤ（Service Set Identifier）の情報も含んでいる。ここで、複数人の顧客ＧＳＴ１のユーザ登録は、それぞれの顧客が実施の形態１に係るイベント開催支援システム１の会員に登録する際に予め実行されている。また、メモリ１２は、サーバ１０により選定されたサービス提供者が手配するサービス提供用の自動運転車両が無線通信する時に用いるＳＳＩＤの情報も保存する。
【００２８】
通信部１３は、ネットワークＮＷ１を介して、店舗車両２０、場所提供者端末３０、充電サービス提供車両４０、アクセス検知車両５０、広告車両６０、顧客端末７０、イベント開催者端末８０および送迎車両ＴＸ１のそれぞれとの間で通信を行う通信回路により構成される。通信部１３による通信方式としては、例えばネットワークＮＷ１に対応してＷＡＮ、ＬＡＮ、電力線通信等の有線での通信方式、ＷｉＦｉ（登録商標）、携帯電話用のモバイル通信等の無線での通信方式等が例示される。例えば、通信部１３は、イベント開催者端末８０から送られたイベント情報を受信する。通信部１３は、イベント会場の場所を含むイベント情報をユーザ登録された複数人の顧客ＧＳＴ１（会員）のそれぞれの顧客端末７０に配信（例えばプッシュ通知）する。これにより、サーバ１０は、イベント開催者ＰＬＮ１のイベントの存在および内容を、イベント開催支援システム１の会員（顧客ＧＳＴ１）のそれぞれに広告できる。
【００２９】
記録装置１４は、二次記憶装置（例えばＨＤＤ（Hard Disk Drive）あるいはＳＳＤ（Solid State Drive））、もしくは三次記憶装置（例えば光ディスク、ＳＤカード）を用いて構成される。記録装置１４は、上述した顧客ＧＳＴ（会員）のユーザ情報を保存している。
【００３０】
プロセッサＰＲＣ１は、例えばＣＰＵ（Central Processing Unit）、ＤＳＰ（Digital Signal Processor）もしくはＦＰＧＡ（Field Programmable Gate Array）を用いて構成される。プロセッサＰＲＣ１は、サーバ１０の制御部として機能し、サーバ１０の各部の動作を全体的に統括するための制御処理、サーバ１０の各部との間のデータの入出力処理、データの演算処理およびデータの記憶処理を行う。プロセッサＰＲＣ１は、メモリ１２に記憶されたプログラムに従って動作する。
【００３１】
プロセッサＰＲＣ１は、プログラムの実行により実現可能な機能的（ソフトウェア）構成として、イベント受付部１１Ａと、サービス提供者発信部１１Ｂと、店舗予約部１１Ｃと、集客人数判定部１１Ｄと、登録／未登録判定部１１Ｅとを少なくとも含む。
【００３２】
イベント受付部１１Ａは、イベント開催者ＰＬＮ１のイベント開催者端末８０への操作に応じてイベント開催者端末８０から送られたイベント情報を取得する。イベント情報は、イベントの内容（例えば屋外レストラン）および日時（例えば開始日時と終了日時）と想定顧客の人数（例えば実現可能性を考慮した最小人数および最大人数）を含む。なお、イベント情報は、イベントの内容に適合するイベント会場（例えば物理的な閉鎖空間である駐車場）の場所を示す情報を更に含んでもよい。つまり、イベント受付部１１Ａは、イベント開催のために必要となるアセットを十分に所有していないイベント開催者ＰＬＮ１が計画しているイベントに関する情報を取得する。
【００３３】
サービス提供者発信部１１Ｂは、イベント開催者端末８０から送られたイベント情報に基づいて、そのイベントの開催に必要となるアセット（例えば、サービス提供者が管理する各種のサービス提供が可能な自動運転車両、イベント会場）の選定（言い換えると、イベント情報に適合するイベントの開催を支援可能なサービス提供業者のマッチング）を行う。サービス提供者発信部１１Ｂは、選定された１以上の自動運転車両あるいはそのイベント会場の場所の管理者が使用する端末のそれぞれに対し、イベント開催者端末８０から送られたイベント情報を含むサービス提供要求を発信する。
【００３４】
店舗予約部１１Ｃは、イベント開催中に、イベント会場内の屋外レストランが提供する飲食物の調理、準備を行う１人以上の料理スタッフの確保を、その料理スタッフの勤める店舗（例えばレストラン）に対して予約する。
【００３５】
集客人数判定部１１Ｄは、イベント受付部１１Ａにより取得されたイベント情報に基づいて、イベント開催に必要な顧客の集客人数の最小値および最大値を決定する。イベントの開催条件は、例えば後述する参加意思表示の受信数が上述した集客人数の最小値以上かつ最大値未満となることである。つまり、イベント開催者ＰＬＮ１は、当初想定する収支に見合うように集客人数の下限および上限を設定する。なお、上限はイベント開催の実現可能性を考慮して決定されることが好ましい。集客人数判定部１１Ｄは、ユーザ登録された顧客の顧客端末７０に発信されたイベント情報（上述参照）を見た顧客ＧＳＴ１の一人一人の反応に基づく操作によって顧客端末７０から送られたイベントの参加意思表示の情報の受信数に基づいて、イベントの開催可否を判定する。
【００３６】
登録／未登録判定部１１Ｅは、イベント開催中にイベント会場（例えば駐車場ＰＲＫ１）内に停車しているアクセス検知車両５０が検知した無線アクセスに関する情報に基づいて、その無線アクセスの要求主体が、イベント参加が正規に許可された顧客ＧＳＴ１の顧客端末７０もしくはサーバ１０により選定（上述参照）されたサービス提供者の自動運転車両であるか、あるいはイベント会場内に悪意に侵入した外部業者の端末であるかを判定する。
【００３７】
ここで、外部業者とは、例えばイベント開催者ＰＬＮ１が開催するイベント（屋外レストラン）のイベント会場内に許可なく立ち入り、イベント開催者ＰＬＮ１に無断で顧客ＧＳＴ１に対して飲食物等の商品を販売する悪意ある業者である。外部業者がイベント開催者ＰＬＮ１に無断でイベント会場内に店舗（例えば屋台）を構えてしまうと、一部の顧客ＧＳＴ１は、正規の店舗車両２０が販売する飲食物を購入しないで、その外部業者の店舗で飲食物を購入する可能性がある。従って、イベント開催者ＰＬＮ１がイベント開催に向けて当初想定している収支が合わない事態になりかねず、イベント開催者ＰＬＮ１の期待するイベント開催ができなくなる。
【００３８】
そこで、実施の形態１では、無線スポットとしておのアクセス検知車両５０は、イベント開催中に無線アクセスの要求を受け付けた場合には、その無線アクセスに関する情報（例えばＳＳＩＤ）をサーバ１０に送る。サーバ１０の登録／未登録判定部１１Ｅは、その無線アクセスに関する情報に基づいて、その無線アクセスの要求主体が正規の顧客ＧＳＴ１もしくはサービス提供者の自動運転車両か、あるいは上述した外部業者の端末であるかを判定する。なお、サーバ１０の詳細な動作内容については、図１０〜図１２を参照して後述する。また、アクセス検知車両５０が、無線アクセスに関する情報に基づいて、その無線アクセスの要求主体が正規の顧客ＧＳＴ１の顧客端末７０であるか、あるいは上述した外部業者の端末（図１２の外部業者端末ＥＸ１参照）であるかを判定してもよい（図６参照）。
【００３９】
＜店舗車両の構成＞
図３は、図１に示す店舗車両２０の構成を例示するブロック図である。店舗車両２０は、ＧＮＳＳ（Global Navigation Satellite System）受信器Ｇ２１と、複数のセンサＳ２１と、制御装置ＥＣ１と、メモリ２２と、通信部２３と、記録装置２４と、調理器具２５と、有機ＥＬ（Electroluminescence）ディスプレイ２６とを含む構成である。店舗車両２０は、例えば自動運転車両であり、サーバ１０からのイベント開催に向けたサービス提供要求に基づいてイベント開催中にイベント会場（例えば駐車場ＰＲＫ１）にて、店舗（屋外レストラン）として飲食物の提供サービスをそれぞれの顧客ＧＳＴ１に対して行う。
【００４０】
ＧＮＳＳ受信器Ｇ２１は、店舗車両２０の位置情報を検出する。具体的には、ＧＮＳＳ受信器Ｇ２１は、複数のＧＮＳＳ衛星（図示略）のそれぞれから発信時刻および各ＧＮＳＳ衛星の位置（座標）を示す衛星測位信号を受信し、それぞれの衛星測位信号の受信に基づいて受信地点（つまり店舗車両２０の位置）の緯度経度を算出し、この算出結果を店舗車両２０の位置情報として制御装置ＥＣ１に出力する。
【００４１】
複数のセンサＳ２１は、複数のセンサを含んで構成され、店舗車両２０の外部環境あるいは周辺の障害物を検出し、検出結果を制御装置ＥＣ１に出力する。センサＳ２１は、例えばカメラ、ミリ波レーダ、ソナーレーダ、ライダー（ＬｉＤＡＲ：Light Detection and Ranging、Laser Imaging Detection and Ranging）等が例示される。なお、カメラは、例えばＣＣＤ（Charge Coupled Device）もしくはＣＭＯＳ（Complementary Metal Oxide Semiconductor）等の撮像素子を有する。カメラは、店舗車両２０の荷台に設置され、車外の所定範囲を検知範囲として撮像して撮像画像のデータを制御装置ＥＣ１に出力する。
【００４２】
メモリ２２は、一次記憶装置（例えばＲＡＭ、ＲＯＭ）を用いて構成され、店舗車両２０の動作の実行に必要なプログラム、さらには、動作中に生成されたデータあるいは情報を一時的に保存する。ＲＡＭは、例えば制御装置ＥＣ１の動作時に使用されるワークメモリである。ＲＯＭは、例えば制御装置ＥＣ１を制御するためのプログラムを予め記憶する。なお、メモリ２２は、制御装置ＥＣ１内に内蔵されてもよい。また、メモリ２２は、店舗車両２０がイベント開催に向けて実現可能なサービス提供内容の情報を保存している。
【００４３】
通信部２３は、ネットワークＮＷ１を介して、サーバ１０、アクセス検知車両５０との間で通信を行う通信回路により構成される。通信部２３による通信方式としては、例えばネットワークＮＷ１に対応してＷＡＮ、ＬＡＮ、ＷｉＦｉ（登録商標）、携帯電話用のモバイル通信等の無線での通信方式等が例示される。例えば、通信部２３は、サーバ１０から発信されたイベント情報を受信する。通信部２３は、制御装置ＥＣ１から渡された店舗車両２０におけるサービス提供内容の情報をサーバ１０に送る。
【００４４】
記録装置２４は、二次記憶装置（例えばＨＤＤあるいはＳＳＤ）、もしくは三次記憶装置（例えば光ディスク、ＳＤカード）を用いて構成される。記録装置２４は、上述した店舗車両２０がイベント開催に向けて実現可能なサービス提供内容の情報を保存している。また、記録装置２４は、サービス提供内容（例えば屋外レストラン）のメニュー情報およびそのメニュー情報に対応するアイコン等の画像データを保存している。また、記録装置２４は、店舗車両２０の日にちごとの利用の予約状況（例えば月、日、時間帯ごとの店舗車両２０の空き情報）を示すスケジュールデータを保存してよい。
【００４５】
調理器具２５は、イベント開催中に提供される飲食物の調理あるいは準備に使用される調理用器具あるいは調理用システムにより構成され、制御装置ＥＣ１からの指示に基づいて作動する。なお、調理器具２５は、省略されても構わない。
【００４６】
有機ＥＬディスプレイ２６は、制御装置ＥＣ１からの指示に基づいて、イベント開催中に店舗車両２０が提供可能な飲食物のメニュー情報およびそのメニュー情報に対応する画像データを表示する。また、有機ＥＬディスプレイ２６は、店舗車両２０がサーバ１０により許可された正規のサービス提供者による自動運転車両であることが判定された時にアクセス検知車両５０から送られる許可表示データを表示する。許可表示データは、例えば、店舗車両２０がイベント開催を支援するために許可された正規の屋外レストランであることを示すテキスト情報、画像データあるいはそれらの組み合わせである。なお、有機ＥＬディスプレイ２６に代わる他の表示デバイスを用いて構成されたディスプレイ（例えば液晶ディスプレイ）が設けられても構わない。
【００４７】
制御装置ＥＣ１は、例えば単一あるいは複数のＥＣＵ（Electronic Control Unit）を用いて構成される。制御装置ＥＣ１は、店舗車両２０の制御部として機能し、店舗車両２０の各部の動作を全体的に統括するための制御処理、店舗車両２０の各部との間のデータの入出力処理、データの演算処理およびデータの記憶処理を行う。制御装置ＥＣ１は、メモリ２２に記憶されたプログラムに従って動作する。
【００４８】
制御装置ＥＣ１は、プログラムの実行により実現可能な機能的（ソフトウェア）構成として、イベント情報取得部２１Ａと、サービス提供内容発信部２１Ｂと、調理制御部２１Ｃと、自動運転制御部２１Ｄとを少なくとも含む。
【００４９】
イベント情報取得部２１Ａは、サーバ１０から送られたイベント情報を含むサービス提供要求（上述参照）を取得する。イベント情報取得部２１Ａは、記録装置２４に保存されているスケジュールデータ（上述参照）に基づいて、サーバ１０からのイベント情報に含まれるイベントの日時に店舗車両２０が空いているか否かを判定する。
【００５０】
サービス提供内容発信部２１Ｂは、イベント情報取得部２１Ａにおいてイベントの日時に店舗車両２０が空いている旨の判定結果が得られた場合に、サービス提供要求に応じた応答として、メモリ２２から読み出した店舗車両２０において実現可能なサービス提供内容の情報をサーバ１０に送る。
【００５１】
調理制御部２１Ｃは、イベント開催中に屋外レストランとして店舗車両２０が提供する飲食物の調理あるいは準備の指示を調理器具２５に指示する。
【００５２】
自動運転制御部２１Ｄは、店舗車両２０の自動運転の制御機能が実装された公知の自動運転コントローラである。自動運転制御部２１Ｄは、ＧＮＳＳ受信器Ｇ２１および複数のセンサＳ２１のそれぞれの検出結果に基づいて、自動運転車両としての店舗車両２０の走行を決定する。また、店舗車両２０は、サーバ１０によって指定されたイベント会場までの自動運転による移動、そのイベント会場内での移動および停車を行う。
【００５３】
＜場所提供者端末の構成＞
図４は、図１に示す場所提供者端末３０の構成を例示するブロック図である。場所提供者端末３０は、プロセッサＰＲＣ２と、メモリ３２と、通信部３３と、記録装置３４と、操作部３５と、ディスプレイ３６とを含む構成である。場所提供者端末３０は、イベント会場（例えば駐車場ＰＲＫ１）を管理する駐車場管理者（図示略）により使用される端末である。
【００５４】
メモリ３２は、一次記憶装置（例えばＲＡＭ、ＲＯＭ）を用いて構成され、場所提供者端末３０の動作の実行に必要なプログラム、さらには、動作中に生成されたデータあるいは情報を一時的に保存する。ＲＡＭは、例えばプロセッサＰＲＣ２の動作時に使用されるワークメモリである。ＲＯＭは、例えばプロセッサＰＲＣ２を制御するためのプログラムを予め記憶する。また、メモリ３２は、場所提供者端末３０がイベント開催に向けて実現可能なサービス提供内容の情報を保存している。
【００５５】
通信部３３は、ネットワークＮＷ１を介して、サーバ１０との間で通信を行う通信回路により構成される。通信部３３による通信方式としては、例えばネットワークＮＷ１に対応してＷＡＮ、ＬＡＮ、ＷｉＦｉ（登録商標）、携帯電話用のモバイル通信等の無線での通信方式等が例示される。例えば、通信部３３は、サーバ１０から発信されたイベント情報を受信する。通信部３３は、プロセッサＰＲＣ２から渡された場所提供者端末３０におけるサービス提供内容の情報をサーバ１０に送る。
【００５６】
記録装置３４は、二次記憶装置（例えばＨＤＤあるいはＳＳＤ）、もしくは三次記憶装置（例えば光ディスク、ＳＤカード）を用いて構成される。記録装置３４は、上述した場所提供者端末３０がイベント開催に向けて実現可能なサービス提供内容の情報を保存している。また、記録装置３４は、場所提供者端末３０が管理する空きスペース（例えば駐車場ＰＲＫ１）の日にちごとの利用の予約状況（例えば月、日、時間帯ごとの駐車場ＰＲＫ１の空き情報）を示すスケジュールデータを保存してよい。
【００５７】
操作部３５は、駐車場管理者（図示略）の操作を受け付け、その操作により入力されたデータあるいは情報をプロセッサＰＲＣ２に渡す。
【００５８】
ディスプレイ３６は、例えば有機ＥＬディスプレイもしくは液晶ディスプレイとして構成され、プロセッサＰＲＣ２から渡されたデータあるいは情報を表示する。
【００５９】
プロセッサＰＲＣ２は、例えばＣＰＵ、ＤＳＰもしくはＦＰＧＡを用いて構成される。プロセッサＰＲＣ２は、場所提供者端末３０の制御部として機能し、場所提供者端末３０の各部の動作を全体的に統括するための制御処理、場所提供者端末３０の各部との間のデータの入出力処理、データの演算処理およびデータの記憶処理を行う。プロセッサＰＲＣ２は、メモリ３２に記憶されたプログラムに従って動作する。
【００６０】
プロセッサＰＲＣ２は、プログラムの実行により実現可能な機能的（ソフトウェア）構成として、イベント情報取得部３１Ａと、サービス提供内容発信部３１Ｂと、予約管理部３１Ｃとを少なくとも含む。
【００６１】
イベント情報取得部３１Ａは、サーバ１０から送られたイベント情報を含むサービス提供要求（上述参照）を取得する。イベント情報取得部３１Ａは、サービス提供要求を取得すると、サービス提供要求に含まれるイベントの日時に駐車場ＰＲＫ１の使用の予約の有無の確認指示を予約管理部３１Ｃに送る。
【００６２】
サービス提供内容発信部３１Ｂは、イベント情報取得部３１Ａにおいてイベントの日時に駐車場ＰＲＫ１が空いている旨の判定結果が得られた場合に、サービス提供要求に応じた応答として、メモリ３２から読み出したイベント開催に向けて実現可能なサービス提供内容の情報をサーバ１０に送る。
【００６３】
予約管理部３１Ｃは、駐車場ＰＲＫ１の使用の予約の有無を管理している。予約管理部３１Ｃは、イベント情報取得部３１Ａからの確認指示により、記録装置３４に保存されているスケジュールデータ（上述参照）に基づいて、サーバ１０からのイベント情報に含まれるイベントの日時に駐車場ＰＲＫ１が空いているか否かを判定する。
【００６４】
＜充電サービス提供車両の構成＞
図５は、図１に示す充電サービス提供車両４０の構成を例示するブロック図である。充電サービス提供車両４０は、ＧＮＳＳ受信器Ｇ４１と、複数のセンサＳ４１と、制御装置ＥＣ２と、メモリ４２と、通信部４３と、記録装置４４と、充電装置４５とを含む構成である。充電サービス提供車両４０は、例えば自動運転車両であり、サーバ１０からのイベント開催に向けたサービス提供要求に基づいてイベント開催中にイベント会場（例えば駐車場ＰＲＫ１）にて、イベント参加顧客のそれぞれの顧客端末７０への電源の充電サービスを提供する。
【００６５】
ＧＮＳＳ受信器Ｇ４１は、充電サービス提供車両４０の位置情報を検出する。具体的には、ＧＮＳＳ受信器４２１は、複数のＧＮＳＳ衛星（図示略）のそれぞれから発信時刻および各ＧＮＳＳ衛星の位置（座標）を示す衛星測位信号を受信し、それぞれの衛星測位信号の受信に基づいて受信地点（つまり店舗車両２０の位置）の緯度経度を算出し、この算出結果を充電サービス提供車両４０の位置情報として制御装置ＥＣ２に出力する。
【００６６】
複数のセンサＳ４１は、複数のセンサを含んで構成され、充電サービス提供車両４０の外部環境あるいは周辺の障害物を検出し、検出結果を制御装置ＥＣ２に出力する。センサＳ４１は、例えばカメラ、ミリ波レーダ、ソナーレーダ、ライダー（ＬｉＤＡＲ）等が例示される。なお、カメラは、例えばＣＣＤもしくはＣＭＯＳ等の撮像素子を有する。カメラは、充電サービス提供車両４０の荷台に設置され、車外の所定範囲を検知範囲として撮像して撮像画像のデータを制御装置ＥＣ２に出力する。
【００６７】
メモリ４２は、一次記憶装置（例えばＲＡＭ、ＲＯＭ）を用いて構成され、充電サービス提供車両４０の動作の実行に必要なプログラム、さらには、動作中に生成されたデータあるいは情報を一時的に保存する。ＲＡＭは、例えば制御装置ＥＣ２の動作時に使用されるワークメモリである。ＲＯＭは、例えば制御装置ＥＣ２を制御するためのプログラムを予め記憶する。なお、メモリ４２は、制御装置ＥＣ２内に内蔵されてもよい。また、メモリ４２は、充電サービス提供車両４０がイベント開催に向けて実現可能なサービス提供内容の情報を保存している。
【００６８】
通信部４３は、ネットワークＮＷ１を介して、サーバ１０、アクセス検知車両５０との間で通信を行う通信回路により構成される。通信部４３による通信方式としては、例えばネットワークＮＷ１に対応してＷＡＮ、ＬＡＮ、ＷｉＦｉ（登録商標）、携帯電話用のモバイル通信等の無線での通信方式等が例示される。例えば、通信部４３は、サーバ１０から発信されたイベント情報を受信する。通信部４３は、制御装置ＥＣ２から渡された充電サービス提供車両４０におけるサービス提供内容の情報をサーバ１０に送る。
【００６９】
記録装置４４は、二次記憶装置（例えばＨＤＤあるいはＳＳＤ）、もしくは三次記憶装置（例えば光ディスク、ＳＤカード）を用いて構成される。記録装置４４は、上述した充電サービス提供車両４０がイベント開催に向けて実現可能なサービス提供内容の情報を保存している。また、記録装置４４は、充電サービス提供車両４０の日にちごとの利用の予約状況（例えば月、日、時間帯ごとの充電サービス提供車両４０の空き情報）を示すスケジュールデータを保存してよい。
【００７０】
充電装置４５は、制御装置ＥＣ２からの指示に基づいて作動する。充電装置４５は、イベント開催中にイベント会場（例えば駐車場ＰＲＫ１）にて、イベント参加顧客のそれぞれの顧客端末７０への電源の充電サービスを提供する。
【００７１】
制御装置ＥＣ２は、例えば単一あるいは複数のＥＣＵを用いて構成される。制御装置ＥＣ２は、充電サービス提供車両４０の制御部として機能し、充電サービス提供車両４０の各部の動作を全体的に統括するための制御処理、充電サービス提供車両４０の各部との間のデータの入出力処理、データの演算処理およびデータの記憶処理を行う。制御装置ＥＣ２は、メモリ４２に記憶されたプログラムに従って動作する。
【００７２】
制御装置ＥＣ２は、プログラムの実行により実現可能な機能的（ソフトウェア）構成として、イベント情報取得部４１Ａと、サービス提供内容発信部４１Ｂと、充電制御部４１Ｃと、自動運転制御部４１Ｄとを少なくとも含む。
【００７３】
イベント情報取得部４１Ａは、サーバ１０から送られたイベント情報を含むサービス提供要求（上述参照）を取得する。イベント情報取得部４１Ａは、記録装置４４に保存されているスケジュールデータ（上述参照）に基づいて、サーバ１０からのイベント情報に含まれるイベントの日時に充電サービス提供車両４０が空いているか否かを判定する。
【００７４】
サービス提供内容発信部４１Ｂは、イベント情報取得部４１Ａにおいてイベントの日時に充電サービス提供車両４０が空いている旨の判定結果が得られた場合に、サービス提供要求に応じた応答として、メモリ４２から読み出した充電サービス提供車両４０において実現可能なサービス提供内容の情報をサーバ１０に送る。
【００７５】
充電制御部４１Ｃは、イベント開催中にイベント参加顧客のそれぞれが所持する顧客端末７０への電源の充電のサービス提供の指示を充電装置４５に送る。
【００７６】
自動運転制御部４１Ｄは、充電サービス提供車両４０の自動運転の制御機能が実装された公知の自動運転コントローラである。自動運転制御部４１Ｄは、ＧＮＳＳ受信器Ｇ４１および複数のセンサＳ４１のそれぞれの検出結果に基づいて、自動運転車両としての充電サービス提供車両４０の走行を決定する。また、充電サービス提供車両４０は、サーバ１０によって指定されたイベント会場までの自動運転による移動、そのイベント会場内での移動および停車を行う。
【００７７】
＜アクセス検知車両の構成＞
図６は、図１に示すアクセス検知車両５０の構成を例示するブロック図である。アクセス検知車両５０は、ＧＮＳＳ受信器Ｇ５１と、複数のセンサＳ５１と、制御装置ＥＣ３と、メモリ５２と、第１通信部５３と、記録装置５４と、第２通信部５５と、有機ＥＬディスプレイ５６とを含む構成である。アクセス検知車両５０は、例えば自動運転車両であり、サーバ１０からのイベント開催に向けたサービス提供要求に基づいてイベント開催中にイベント会場（例えば駐車場ＰＲＫ１）にて、イベント参加顧客のそれぞれが所持する顧客端末７０に対して無線通信サービスを提供する。つまり、アクセス検知車両５０は、イベント参加顧客のそれぞれが所持する顧客端末７０に対するＷｉｆｉ（登録商標）等の無線スポットとしての機能を有する。
【００７８】
ＧＮＳＳ受信器Ｇ５１は、アクセス検知車両５０の位置情報を検出する。具体的には、ＧＮＳＳ受信器Ｇ５１は、複数のＧＮＳＳ衛星（図示略）のそれぞれから発信時刻および各ＧＮＳＳ衛星の位置（座標）を示す衛星測位信号を受信し、それぞれの衛星測位信号の受信に基づいて受信地点（つまりアクセス検知車両５０の位置）の緯度経度を算出し、この算出結果をアクセス検知車両５０の位置情報として制御装置ＥＣ３に出力する。
【００７９】
複数のセンサＳ２１は、複数のセンサを含んで構成され、アクセス検知車両５０の外部環境あるいは周辺の障害物を検出し、検出結果を制御装置ＥＣ３に出力する。センサＳ５１は、例えばカメラ、ミリ波レーダ、ソナーレーダ、ライダー（ＬｉＤＡＲ）等が例示される。なお、カメラは、例えばＣＣＤもしくはＣＭＯＳ等の撮像素子を有する。カメラは、アクセス検知車両５０の荷台に設置され、車外の所定範囲を検知範囲として撮像して撮像画像のデータを制御装置ＥＣ３に出力する。
【００８０】
メモリ５２は、一次記憶装置（例えばＲＡＭ、ＲＯＭ）を用いて構成され、アクセス検知車両５０の動作の実行に必要なプログラム、さらには、動作中に生成されたデータあるいは情報を一時的に保存する。ＲＡＭは、例えば制御装置ＥＣ３の動作時に使用されるワークメモリである。ＲＯＭは、例えば制御装置ＥＣ３を制御するためのプログラムを予め記憶する。なお、メモリ５２は、制御装置ＥＣ３内に内蔵されてもよい。また、メモリ５２は、アクセス検知車両５０がイベント開催に向けて実現可能なサービス提供内容の情報を保存している。また、メモリ５２は、イベント開催中にイベント会場内（例えば駐車場ＰＲＫ１）で無線通信サービスの提供先として許可されている対象（例えばイベントへの参加が許可された正規の顧客ＧＳＴ１）の顧客端末７０に関する情報が並べられた無線通信サービス許可リスト（図示略）を保存してもよい。なお、この無線通信サービス許可リスト（図示略）は、サーバ１０のメモリ１２に保存されてよい。
【００８１】
第１通信部５３は、ネットワークＮＷ１を介して、サーバ１０との間で通信を行う通信回路により構成される。通信部２３による通信方式としては、例えばネットワークＮＷ１に対応してＷＡＮ、ＬＡＮ、携帯電話用のモバイル通信等の無線での通信方式等が例示される。例えば、第１通信部５３は、サーバ１０から発信されたイベント情報を受信する。第１通信部５３は、制御装置ＥＣ３から渡されたアクセス検知車両５０におけるサービス提供内容の情報をサーバ１０に送る。
【００８２】
記録装置５４は、二次記憶装置（例えばＨＤＤあるいはＳＳＤ）、もしくは三次記憶装置（例えば光ディスク、ＳＤカード）を用いて構成される。記録装置５４は、上述したアクセス検知車両５０がイベント開催に向けて実現可能なサービス提供内容の情報を保存している。また、記録装置５４は、アクセス検知車両５０の日にちごとの利用の予約状況（例えば月、日、時間帯ごとのアクセス検知車両５０の空き情報）を示すスケジュールデータを保存してよい。
【００８３】
第２通信部５５は、ネットワークＮＷ１を用いた広域での通信とは異なり、イベント会場（例えば駐車場ＰＲＫ１）内のような狭域（例えば限定されたエリア）の無線通信を行う通信回路により構成される。通信部２３による通信方式としては、Ｗｉｆｉ（登録商標）が例示される。例えば、第２通信部５５は、イベント会場内（例えば駐車場ＰＲＫ１）において、イベント参加中の顧客ＧＳＴ１が所持する顧客端末７０からの無線アクセス（つまり、無線通信のリクエスト）を検知し、その検知された無線アクセスに関する情報（例えばＳＳＩＤ）を制御装置ＥＣ３に渡す。また、第２通信部５５は、顧客ＧＳＴ１が所持する顧客端末７０からの無線アクセスがサーバ１０あるいはアクセス検知車両５０により許可されたと判定された後、その許可された顧客端末７０との間で無線通信を行う。一方、第２通信部５５は、検知された無線アクセスがサーバ１０あるいはアクセス検知車両５０により許可されないと判定された後、その無線アクセスに関する情報（例えばＳＳＩＤ）と同一のＳＳＩＤを有する端末（例えば外部業者端末ＥＸ１）との無線通信を実行しない。
【００８４】
ディスプレイの一例としての有機ＥＬディスプレイ５６は、制御装置ＥＣ３からの指示に基づいて、イベント開催中にイベント会場内（例えば駐車場ＰＲＫ１）に侵入した外部業者が所持する外部業者端末（例えば、店舗車両２０に似せた店舗内に配置）の存在を報知するためのデータあるいは情報を表示する。また、有機ＥＬディスプレイ５６は、サーバ１０から悪意の外部業者の存在が検知された時に送られる許可不許可表示データが重畳されたイベント配置図データ（図１３参照）を表示する。なお、有機ＥＬディスプレイ５６に代わる他の表示デバイスを用いて構成されたディスプレイ（例えば液晶ディスプレイ）が設けられても構わない。
【００８５】
制御装置ＥＣ３は、例えば単一あるいは複数のＥＣＵを用いて構成される。制御装置ＥＣ１は、アクセス検知車両５０の制御部として機能し、アクセス検知車両５０の各部の動作を全体的に統括するための制御処理、アクセス検知車両５０の各部との間のデータの入出力処理、データの演算処理およびデータの記憶処理を行う。制御装置ＥＣ３は、メモリ５２に記憶されたプログラムに従って動作する。
【００８６】
制御装置ＥＣ３は、プログラムの実行により実現可能な機能的（ソフトウェア）構成として、イベント情報取得部５１Ａと、サービス提供内容発信部５１Ｂと、アクセス検知判定部５１Ｃと、自動運転制御部５１Ｄとを少なくとも含む。
【００８７】
イベント情報取得部５１Ａは、サーバ１０から送られたイベント情報を含むサービス提供要求（上述参照）を取得する。イベント情報取得部５１Ａは、記録装置５４に保存されているスケジュールデータ（上述参照）に基づいて、サーバ１０からのイベント情報に含まれるイベントの日時にアクセス検知車両５０が空いているか否かを判定する。
【００８８】
サービス提供内容発信部５１Ｂは、イベント情報取得部５１Ａにおいてイベントの日時にアクセス検知車両５０が空いている旨の判定結果が得られた場合に、サービス提供要求に応じた応答として、メモリ５２から読み出したアクセス検知車両５０において実現可能なサービス提供内容の情報をサーバ１０に送る。
【００８９】
アクセス検知判定部５１Ｃは、イベント開催中のイベント会場内（例えば駐車場ＰＲＫ１）において第２通信部５５が無線アクセスを検知した場合、第２通信部５５から渡された無線アクセスに関する情報（例えばＳＳＩＤ）を用いて、無線アクセスの要求主体が正規の顧客ＧＳＴ１の顧客端末７０か、あるいは外部業者の端末（図１２の外部業者端末ＥＸ１参照）であるかの判定要求をサーバ１０に送る。アクセス検知判定部５１Ｃは、サーバ１０からの判定結果に従って、第２通信部５５により検知された無線アクセスの要求主体に無線通信サービスの提供可否を判定する。具体的には、アクセス検知判定部５１Ｃは、正規の顧客ＧＳＴ１の顧客端末７０には無線通信サービスを提供し、一方、外部業者の端末には無線通信サービスを提供しない。
【００９０】
なお、アクセス検知判定部５１Ｃは、第２通信部５５から渡された無線アクセスに関する情報（例えばＳＳＩＤ）とメモリ５２から読み出した無線通信サービス許可リスト（上述参照）とを用いて、無線アクセスの要求主体が正規の顧客ＧＳＴ１の顧客端末７０か、あるいは外部業者の端末（図１２の外部業者端末ＥＸ１参照）であるかの判定を行ってもよい。
【００９１】
自動運転制御部５１Ｄは、アクセス検知車両５０の自動運転の制御機能が実装された公知の自動運転コントローラである。自動運転制御部５１Ｄは、ＧＮＳＳ受信器Ｇ５１および複数のセンサＳ５１のそれぞれの検出結果に基づいて、自動運転車両としてのアクセス検知車両５０の走行を決定する。また、アクセス検知車両５０は、サーバ１０によって指定されたイベント会場までの自動運転による移動、そのイベント会場内での移動および停車を行う。
【００９２】
＜広告車両の構成＞
図７は、図１に示す広告車両６０の構成を例示するブロック図である。広告車両６０は、ＧＮＳＳ受信器Ｇ６１と、複数のセンサＳ６１と、制御装置ＥＣ４と、メモリ６２と、通信部６３と、記録装置６４と、有機ＥＬディスプレイ６６とを含む構成である。広告車両６０は、例えば自動運転車両であり、サーバ１０からのイベント開催に向けたサービス提供要求に基づいてイベント開催中にイベント会場（例えば駐車場ＰＲＫ１）にて、イベント参加顧客を対象とした広告内容を報知する。
【００９３】
ＧＮＳＳ受信器Ｇ６１は、広告車両６０の位置情報を検出する。具体的には、ＧＮＳＳ受信器Ｇ６１は、複数のＧＮＳＳ衛星（図示略）のそれぞれから発信時刻および各ＧＮＳＳ衛星の位置（座標）を示す衛星測位信号を受信し、それぞれの衛星測位信号の受信に基づいて受信地点（つまり広告車両６０の位置）の緯度経度を算出し、この算出結果を広告車両６０の位置情報として制御装置ＥＣ４に出力する。
【００９４】
複数のセンサＳ６１は、複数のセンサを含んで構成され、広告車両６０の外部環境あるいは周辺の障害物を検出し、検出結果を制御装置ＥＣ４に出力する。センサＳ６１は、例えばカメラ、ミリ波レーダ、ソナーレーダ、ライダー（ＬｉＤＡＲ）等が例示される。なお、カメラは、例えばＣＣＤもしくはＣＭＯＳ等の撮像素子を有する。カメラは、広告車両６０の荷台に設置され、車外の所定範囲を検知範囲として撮像して撮像画像のデータを制御装置ＥＣ４に出力する。
【００９５】
メモリ６２は、一次記憶装置（例えばＲＡＭ、ＲＯＭ）を用いて構成され、広告車両６０の動作の実行に必要なプログラム、さらには、動作中に生成されたデータあるいは情報を一時的に保存する。ＲＡＭは、例えば制御装置ＥＣ４の動作時に使用されるワークメモリである。ＲＯＭは、例えば制御装置ＥＣ４を制御するためのプログラムを予め記憶する。なお、メモリ６２は、制御装置ＥＣ４内に内蔵されてもよい。また、メモリ６２は、広告車両６０がイベント開催に向けて実現可能なサービス提供内容の情報を保存している。
【００９６】
通信部６３は、ネットワークＮＷ１を介して、サーバ１０、アクセス検知車両５０との間で通信を行う通信回路により構成される。通信部６３による通信方式としては、例えばネットワークＮＷ１に対応してＷＡＮ、ＬＡＮ、ＷｉＦｉ（登録商標）、携帯電話用のモバイル通信等の無線での通信方式等が例示される。例えば、通信部６３は、サーバ１０から発信されたイベント情報を受信する。通信部６３は、制御装置ＥＣ４から渡された広告車両６０におけるサービス提供内容の情報をサーバ１０に送る。
【００９７】
記録装置６４は、二次記憶装置（例えばＨＤＤあるいはＳＳＤ）、もしくは三次記憶装置（例えば光ディスク、ＳＤカード）を用いて構成される。記録装置６４は、上述した広告車両６０がイベント開催に向けて実現可能なサービス提供内容の情報を保存している。また、記録装置６４は、イベントの内容あるいはイベント参加顧客の嗜好に沿う商品あるいはサービスの広告データ（例えば動画像データ）を保存している。また、記録装置６４は、広告車両６０の日にちごとの利用の予約状況（例えば月、日、時間帯ごとの広告車両６０の空き情報）を示すスケジュールデータを保存してよい。
【００９８】
有機ＥＬディスプレイ６６は、制御装置ＥＣ４からの指示に基づいて、イベント開催中に広告車両６０がイベントの内容あるいはイベント参加顧客の嗜好に沿う商品あるいはサービスの広告データを表示する。なお、有機ＥＬディスプレイ６６に代わる他の表示デバイスを用いて構成されたディスプレイ（例えば液晶ディスプレイ）が設けられても構わない。
【００９９】
制御装置ＥＣ４は、例えば単一あるいは複数のＥＣＵを用いて構成される。制御装置ＥＣ４は、広告車両６０の制御部として機能し、広告車両６０の各部の動作を全体的に統括するための制御処理、広告車両６０の各部との間のデータの入出力処理、データの演算処理およびデータの記憶処理を行う。制御装置ＥＣ４は、メモリ６２に記憶されたプログラムに従って動作する。
【０１００】
制御装置ＥＣ４は、プログラムの実行により実現可能な機能的（ソフトウェア）構成として、イベント情報取得部６１Ａと、サービス提供内容発信部６１Ｂと、広告表示制御部６１Ｃと、自動運転制御部６１Ｄとを少なくとも含む。
【０１０１】
イベント情報取得部６１Ａは、サーバ１０から送られたイベント情報を含むサービス提供要求（上述参照）を取得する。イベント情報取得部６１Ａは、記録装置６４に保存されているスケジュールデータ（上述参照）に基づいて、サーバ１０からのイベント情報に含まれるイベントの日時に広告車両６０が空いているか否かを判定する。
【０１０２】
サービス提供内容発信部６１Ｂは、イベント情報取得部６１Ａにおいてイベントの日時に広告車両６０が空いている旨の判定結果が得られた場合に、サービス提供要求に応じた応答として、メモリ６２から読み出した広告車両６０において実現可能なサービス提供内容の情報をサーバ１０に送る。
【０１０３】
広告表示制御部６１Ｃは、イベント開催中に広告車両６０がイベントの内容あるいはイベント参加顧客の嗜好に沿う商品あるいはサービスの広告データを有機ＥＬディスプレイ６６に表示させる。
【０１０４】
自動運転制御部６１Ｄは、広告車両６０の自動運転の制御機能が実装された公知の自動運転コントローラである。自動運転制御部６１Ｄは、ＧＮＳＳ受信器Ｇ６１および複数のセンサＳ６１のそれぞれの検出結果に基づいて、自動運転車両としての広告車両６０の走行を決定する。また、広告車両６０は、サーバ１０によって指定されたイベント会場までの自動運転による移動、そのイベント会場内での移動および停車を行う。
【０１０５】
＜顧客端末の構成＞
図８は、図１に示す顧客端末の構成を例示するブロック図である。顧客端末７０は、プロセッサＰＲＣ３と、メモリ７２と、通信部７３と、記録装置７４と、操作部７５と、ディスプレイ７６とを含む構成である。顧客端末７０は、イベントに参加することが許可されたイベント参加顧客のそれぞれが所持する端末であり、以下、スマートフォンを例示して説明する。
【０１０６】
メモリ７２は、一次記憶装置（例えばＲＡＭ、ＲＯＭ）を用いて構成され、顧客端末７０の動作の実行に必要なプログラム、さらには、動作中に生成されたデータあるいは情報を一時的に保存する。ＲＡＭは、例えばプロセッサＰＲＣ３の動作時に使用されるワークメモリである。ＲＯＭは、例えばプロセッサＰＲＣ３を制御するためのプログラムを予め記憶する。また、メモリ３２は、顧客端末７０の所持者である顧客ＧＳＴ１のユーザ情報（上述参照）を保存している。ユーザ情報は、対応する顧客ＧＳＴ１の氏名、年齢、性別以外に、イベント開催支援システム１の会員としてのユーザＩＤ、顧客端末７０のメールアドレス、顧客端末７０の識別情報、無線通信時に用いるＳＳＩＤの情報を含む。
【０１０７】
通信部７３は、ネットワークＮＷ１を介して、サーバ１０との間で通信を行う通信回路により構成される。通信部７３による通信方式としては、例えばネットワークＮＷ１に対応してＷＡＮ、ＬＡＮ、ＷｉＦｉ（登録商標）、携帯電話用のモバイル通信等の無線での通信方式等が例示される。例えば、通信部７３は、サーバ１０から発信されたイベント情報を受信する。通信部３３は、プロセッサＰＲＣ３から渡されたイベントの参加意思表示の情報をサーバ１０に送る。
【０１０８】
記録装置７４は、二次記憶装置（例えばＨＤＤあるいはＳＳＤ）、もしくは三次記憶装置（例えば光ディスク、ＳＤカード）を用いて構成される。記録装置７４は、上述したユーザ情報を保存してよい。
【０１０９】
操作部７５は、顧客端末７０の所持者である顧客ＧＳＴ１の操作を受け付け、その操作により入力されたデータあるいは情報をプロセッサＰＲＣ３に渡す。
【０１１０】
ディスプレイ７６は、例えば有機ＥＬディスプレイもしくは液晶ディスプレイとして構成され、プロセッサＰＲＣ３から渡されたデータあるいは情報を表示する。例えば、ディスプレイ７６は、プロセッサＰＲＣ３から渡されたイベント配置図データ（図１３参照）を表示する。
【０１１１】
プロセッサＰＲＣ３は、例えばＣＰＵ、ＤＳＰもしくはＦＰＧＡを用いて構成される。プロセッサＰＲＣ３は、顧客端末７０の制御部として機能し、顧客端末７０の各部の動作を全体的に統括するための制御処理、顧客端末７０の各部との間のデータの入出力処理、データの演算処理およびデータの記憶処理を行う。プロセッサＰＲＣ３は、メモリ７２に記憶されたプログラムに従って動作する。
【０１１２】
プロセッサＰＲＣ３は、プログラムの実行により実現可能な機能的（ソフトウェア）構成として、予約入力受付部７１Ａと、到着時刻発信部７１Ｂと、送迎車両手配管理部７１Ｃとを少なくとも含む。
【０１１３】
予約入力受付部７１Ａは、サーバ１０から送られたイベント会場の場所の情報を含むイベント情報を取得する。予約入力受付部７１Ａは、そのイベント情報をディスプレイ７６に表示させる。予約入力受付部７１Ａは、顧客ＧＳＴ１の操作により、イベントに参加する旨の参加意思表示の情報を生成し、通信部７３を介してサーバ１０に送る。
【０１１４】
到着時刻発信部７１Ｂは、イベント開催中に顧客端末７０の所持者である顧客ＧＳＴ１本人がイベント会場（例えば駐車場ＰＲＫ１）に到着する予定時刻情報を生成し、通信部７３を介してサーバ１０に送る。サーバ１０は、この顧客ごとの予定時刻情報を受信すると、イベント開催中に有効な顧客ＧＳＴ１を識別するためのＩＤと予定時刻情報とを対応付けて記録装置１４に保存する。なお、到着時刻発信部７１ＢはプロセッサＰＲＣ３から省略されてもよい。
【０１１５】
送迎車両手配管理部７１Ｃは、イベント会場まで送迎する送迎車両ＴＸ１の手配（例えば、送迎車両ＴＸ１が顧客ＧＳＴ１の自宅まで迎えにくる日時および場所の入力、送迎車両ＴＸ１の予約）のリクエストを生成し、通信部７３を介してサーバ１０に送る。サーバ１０は、このリクエストを受信すると、送迎車両ＴＸ１の運営会社等の管理者端末（図示略）に対し、該当する顧客端末７０からのリクエストに対応する送迎車両ＴＸ１の手配を実行する。なお、送迎車両手配管理部７１ＣはプロセッサＰＲＣ３から省略されてもよい。
【０１１６】
＜イベント開催者端末の構成＞
図９は、図１に示すイベント開催者端末８０の構成を例示するブロック図である。イベント開催者端末８０は、プロセッサＰＲＣ４と、メモリ８２と、通信部８３と、記録装置８４と、操作部８５と、ディスプレイ８６とを含む構成である。イベント開催者端末８０は、イベント開催者ＰＬＮ１により使用される端末であり、イベント開催者ＰＬＮ１の操作により、そのイベント開催者ＰＬＮ１が開催したいと考えているイベントの内容等の各種の情報からなるイベント情報の入力を受け付ける。
【０１１７】
メモリ８２は、一次記憶装置（例えばＲＡＭ、ＲＯＭ）を用いて構成され、イベント開催者端末８０の動作の実行に必要なプログラム、さらには、動作中に生成されたデータあるいは情報を一時的に保存する。ＲＡＭは、例えばプロセッサＰＲＣ４の動作時に使用されるワークメモリである。ＲＯＭは、例えばプロセッサＰＲＣ４を制御するためのプログラムを予め記憶する。
【０１１８】
通信部８３は、ネットワークＮＷ１を介して、サーバ１０との間で通信を行う通信回路により構成される。通信部８３による通信方式としては、例えばネットワークＮＷ１に対応してＷＡＮ、ＬＡＮ、ＷｉＦｉ（登録商標）、携帯電話用のモバイル通信等の無線での通信方式等が例示される。例えば、通信部８３は、プロセッサＰＲＣ４から渡されたイベント情報をサーバ１０に送る。
【０１１９】
記録装置８４は、二次記憶装置（例えばＨＤＤあるいはＳＳＤ）、もしくは三次記憶装置（例えば光ディスク、ＳＤカード）を用いて構成される。記録装置８４は、サーバ１０から送られるイベント当日のイベント配置図データ（図１３参照）を保存する。ここで、イベント配置図データとは、イベント当日のイベント会場内（例えば駐車場ＰＲＫ１）の店舗車両２０、充電サービス提供車両４０、アクセス検知車両５０、広告車両６０の配置箇所を示すレイアウト配置図である。
【０１２０】
操作部８５は、イベント開催者ＰＬＮ１の操作を受け付け、その操作により入力されたデータあるいは情報をプロセッサＰＲＣ４に渡す。
【０１２１】
ディスプレイ８６は、例えば有機ＥＬディスプレイもしくは液晶ディスプレイとして構成され、プロセッサＰＲＣ４から渡されたデータあるいは情報を表示する。例えば、ディスプレイ８６は、プロセッサＰＲＣ４から渡されたイベント配置図データ（図１３参照）を表示する。
【０１２２】
プロセッサＰＲＣ４は、例えばＣＰＵ、ＤＳＰもしくはＦＰＧＡを用いて構成される。プロセッサＰＲＣ４は、イベント開催者端末８０の制御部として機能し、イベント開催者端末８０の各部の動作を全体的に統括するための制御処理、イベント開催者端末８０の各部との間のデータの入出力処理、データの演算処理およびデータの記憶処理を行う。プロセッサＰＲＣ４は、メモリ８２に記憶されたプログラムに従って動作する。
【０１２３】
プロセッサＰＲＣ４は、プログラムの実行により実現可能な機能的（ソフトウェア）構成として、イベント情報発信部８１Ａと、最終イベント情報取得部８１Ｂとを少なくとも含む。
【０１２４】
イベント情報発信部８１Ａは、イベント開催者ＰＬＮ１の操作により入力されたイベント情報を取得し、通信部８３を介してサーバ１０に発信（送信）する。
【０１２５】
最終イベント情報取得部８１Ｂは、サーバ１０から送られる最終イベント情報を取得する。この最終イベント情報は、イベント情報発信部８１Ａからサーバ１０に送られたイベント情報に加え、サーバ１０において受信されたイベントの参加意思表示の送信数に相当するイベント参加顧客のそれぞれに関する情報（リスト）、イベント開催を支援する各種のサービス提供者の自動運転車両に関する情報（リスト）を含む。最終イベント情報取得部８１Ｂは、最終イベント情報を記録装置８４に保存する。
【０１２６】
＜サーバの動作＞
次に、実施の形態１に係るサーバ１０の動作手順例について、図１０を参照して説明する。図１０は、サーバ１０の動作手順を例示するフローチャートである。図１０では、イベント開催の前後におけるサーバ１０の動作手順の一例が示されている。図１０に示す各処理（ステップ）は、主にサーバ１０のプロセッサＰＲＣ１により実行される。
【０１２７】
図１０において、プロセッサＰＲＣ１は、イベント開催者端末８０から送られるイベント情報を取得する（Ｓｔ１）。このイベント情報は、屋外レストラン等のイベント開催に必要なアセットを十分に所有していないイベント開催者ＰＬＮ１が開催したいと考えているイベント（例えば屋外レストラン）および日時（例えば開始日時と終了日時）と想定顧客の人数（例えば実現可能性を考慮した最小人数および最大人数）を含む。サーバ１０は、ステップＳｔ１において取得されたイベント情報と、イベント開催を支援する各種のサービス提供者によるサービス提供内容とを含めたイベント広告情報（イベント情報の一例）を、予めユーザ登録されている会員（顧客ＧＳＴ）の顧客端末７０のメールアドレスに送信する。
【０１２８】
プロセッサＰＲＣ１は、複数の顧客ＧＳＴの顧客端末７０のそれぞれからイベントの参加意思表示の情報を受信したか否かを判定する（Ｓｔ２）。複数の顧客ＧＳＴの顧客端末７０のそれぞれからイベントの参加意思表示の情報を受信するまで（Ｓｔ２、ＮＯ）、プロセッサＰＲＣ１は、ステップＳｔ２の処理を継続する。
【０１２９】
一方、プロセッサＰＲＣ１は、複数の顧客ＧＳＴの顧客端末７０のそれぞれからイベントの参加意思表示の情報を受信したと判定した場合に（Ｓｔ２、ＹＥＳ）、参加意思表示の情報の受信数（言い換えると、イベントに参加希望した顧客の集客人数）がイベントの開催条件を充足するか否かを判定する（Ｓｔ３）。イベントの開催条件を充足しないと判定された場合には（Ｓｔ３、ＮＯ）、サーバ１０は、イベントの参加意思表示を送信した一部の顧客のそれぞれの顧客端末７０に、イベント開催不可を示すイベント開催不可通知を送信する（Ｓｔ４）。
【０１３０】
一方、プロセッサＰＲＣ１は、イベントの開催条件を充足すると判定した場合には（Ｓｔ３、ＹＥＳ）、イベントの開催を許可すると決定し、イベント開催通知をイベント開催者端末８０に送信する（Ｓｔ５）。更に、プロセッサＰＲＣ１は、イベントの参加意思表示を送信した全ての顧客ＧＳＴ１のそれぞれに対してイベント参加を許可すると決定するとともに、イベントの集客人数の最小人数情報を、イベント参加が許可された顧客ＧＳＴ１のそれぞれの顧客端末７０に送信する（Ｓｔ５）。ここまでの処理が、イベント開催前におけるサーバ１０の処理となる。
【０１３１】
イベント開催後（具体的には、イベント開催中）において、プロセッサＰＲＣ１は、イベント当日のイベント会場内（例えば駐車場ＰＲＫ１）の店舗車両２０、充電サービス提供車両４０、アクセス検知車両５０、広告車両６０の配置箇所を示すレイアウト配置図であるイベント配置図データの生成指示をアクセス検知車両５０から受信する（Ｓｔ６）。プロセッサＰＲＣ１は、この生成指示に基づいて、イベント配置図データを生成し、該当する顧客ＧＳＴ１（つまり、イベントに参加することが許可されたイベント参加顧客）のそれぞれの顧客端末７０に送信する（Ｓｔ６）。
【０１３２】
プロセッサＰＲＣ１は、アクセス検知車両５０への無線アクセスが検知された時に、アクセス検知車両５０から送られる無線アクセスに関する情報を含む判定要求を受信する（Ｓｔ７）。プロセッサＰＲＣ１は、その判定要求に基づいて、無線アクセスの要求主体がイベントに参加することが許可された（言い換えると、イベント参加することが登録された）顧客の顧客端末７０であるか否かを判定する。プロセッサＰＲＣ１は、判定結果をアクセス検知車両５０に通知する（Ｓｔ８）。なお、イベント開催中においては、ステップＳｔ８の後、サーバ１０の処理はステップＳｔ７に戻る。つまり、サーバ１０は、イベント開催中においてはステップＳｔ７，Ｓｔ８の処理を繰り返す。これにより、サーバ１０は、イベント開催中にイベントに参加することが許可された顧客とは異なる外部業者からの無線アクセスがアクセス検知車両５０により検知された場合に、イベント会場（例えば駐車場ＰＲＫ１）内の外部業者の存在を認識できるので、外部業者の存在を各種の自動運転車両等に広く報知できる。
【０１３３】
＜イベント開催支援システムの動作＞
次に、実施の形態１に係るイベント開催支援システム１の動作手順例について、図１１および図１２を参照して説明する。図１１は、実施の形態１に係るイベント開催支援システム１の動作手順の第１例を示すシーケンス図である。図１２は、実施の形態１に係るイベント開催支援システム１の動作手順の第２例を示すシーケンス図である。なお、図１２の説明では、図１１に示す処理と同一の処理については同一のステップ番号を付与して説明を簡略化あるいは省略し、異なる内容について説明する。
【０１３４】
図１１において、イベント開催者端末８０は、イベント開催者ＰＬＮ１の操作により、そのイベント開催者ＰＬＮ１が開催したいと考えているイベントの内容（例えば屋外レストラン）および日時（例えば開始日時と終了日時）と想定顧客の人数（例えば実現可能性を考慮した最小人数および最大人数）を含むイベント情報の入力を受け付け、そのイベント情報をサーバ１０に発信する（Ｓｔ１１）。
【０１３５】
サーバ１０は、イベント情報をイベント開催者端末８０から受信すると、そのイベント情報に基づいて、そのイベントの開催に必要となるアセット（例えば、サービス提供者が管理する各種のサービス提供が可能な自動運転車両、イベント会場）の選定を行う。サーバ１０は、選定された１以上の自動運転車両（例えば店舗車両２０、充電サービス提供車両４０、アクセス検知車両５０、広告車両６０）とそのイベント会場の場所の管理者が使用する場所提供者端末３０とに対し、イベント開催者端末８０から送られたイベント情報を含むサービス提供要求を発信する（Ｓｔ１２ａ，Ｓｔ１２ｂ，Ｓｔ１２ｃ，Ｓｔ１２ｄ，Ｓｔ１２ｅ）。
【０１３６】
店舗車両２０、場所提供者端末３０、充電サービス提供車両４０、アクセス検知車両５０、広告車両６０のそれぞれは、サービス提供要求に応じた応答として、店舗車両２０、場所提供者端末３０、充電サービス提供車両４０、アクセス検知車両５０、広告車両６０のそれぞれにおいて実現可能なサービス提供内容の情報をサーバ１０に送る（Ｓｔ１３ａ，Ｓｔ１３ｂ，Ｓｔ１３ｃ，Ｓｔ１３ｄ，Ｓｔ１３ｅ）。
【０１３７】
サーバ１０は、イベント開催者端末８０から受信されたイベント情報に、ステップＳｔ１３ａ〜Ｓｔ１３ｅにおいて得られた各種のサービス提供者によるサービス提供内容の情報を追加したイベント広告情報を、予めユーザ登録されている会員（顧客ＧＳＴ）の顧客端末７０のメールアドレスに送信する（Ｓｔ１４）。イベント広告情報を閲覧したそれぞれの顧客のうちイベントに参加する意思のある顧客ＧＳＴ１の操作により、顧客端末７０は、イベントの参加意思表示の情報をサーバ１０に送る（Ｓｔ１５）。
【０１３８】
サーバ１０は、ステップＳｔ１５において送られた参加意思表示の情報の受信数（言い換えると、イベントに参加希望した顧客の集客人数）がイベントの開催条件を充足すると判定した場合に、イベントの開催を許可する旨のイベント開催通知を生成してイベント開催者端末８０に送る（Ｓｔ１６）。
【０１３９】
イベント開催中、イベント会場（例えば駐車場ＰＲＫ１）の各所に配置された店舗車両２０、充電サービス提供車両４０、広告車両６０は、それぞれアクセス検知車両５０に対して無線アクセス（例えば無線ＬＡＮを利用した無線通信サービスの利用のためのアクセス）の要求を繰り返して送信する（Ｓｔ１７ｂ，Ｓｔ１７ｃ，Ｓｔ１７ｄ，Ｓｔ１７ｅ）。アクセス検知車両５０は、店舗車両２０、充電サービス提供車両４０、広告車両６０のそれぞれからの無線アクセスに関する情報を含む判定要求をサーバ１０に送る。サーバ１０は、店舗車両２０、充電サービス提供車両４０、広告車両６０のそれぞれからの無線アクセスは予め許可された正規のサービス提供者による自動運転車両からの無線アクセスであってその無線アクセスを許可すると判定し、その判定結果をアクセス検知車両５０に送る。
【０１４０】
アクセス検知車両５０は、店舗車両２０、充電サービス提供車両４０、広告車両６０の無線アクセスに対する判定結果を受信すると、店舗車両２０、充電サービス提供車両４０、広告車両６０のそれぞれのイベント会場内での配置箇所が判明可能なイベント配置図データの生成指示をサーバ１０に送る（Ｓｔ１８）。なお、アクセス検知車両５０は、イベント配置図データを予めサーバ１０から取得して保存していてもよい。サーバ１０は、ステップＳｔ１８での生成指示に基づいて、イベント配置図データを生成し、イベント会場（例えば駐車場ＰＲＫ１）に来ているイベント参加顧客のそれぞれの顧客端末７０に送る（Ｓｔ１９）。
【０１４１】
図１２では、サーバ１０によりイベント開催の支援が許可された各種のサービス提供者による自動運転車両（具体的には、店舗車両２０、充電サービス提供車両４０、アクセス検知車両５０、広告車両６０）の他に、サーバ１０によりイベント開催の支援が許可されていない外部業者の端末も図示されている。外部端末の一例としての外部業者端末ＥＸ１は、外部業者により使用される端末であり、イベント会場（例えば駐車場ＰＲＫ１）内において無断で設けられた外部業者の店舗（例えば屋台）内に配置される。
【０１４２】
図１２において、イベント開催中、イベント会場（例えば駐車場ＰＲＫ１）の各所に配置された店舗車両２０、充電サービス提供車両４０、広告車両６０は、それぞれアクセス検知車両５０に対して無線アクセス（例えば無線ＬＡＮを利用した無線通信サービスの利用のためのアクセス）の要求を繰り返して送信する（Ｓｔ１７ｂ，Ｓｔ１７ｃ，Ｓｔ１７ｄ，Ｓｔ１７ｅ）。同様に、イベント会場（例えば駐車場ＰＲＫ１）内に無断で設けられた外部業者の外部業者端末ＥＸ１も、アクセス検知車両５０に対して無線アクセス（例えば無線ＬＡＮを利用した無線通信サービスの利用のためのアクセス）の要求を繰り返して送信する（Ｓｔ１７ｆ）。
【０１４３】
アクセス検知車両５０は、店舗車両２０、充電サービス提供車両４０、広告車両６０、外部業者端末ＥＸ１のそれぞれからの無線アクセスに関する情報を含む判定要求をサーバ１０に送る。サーバ１０は、店舗車両２０、充電サービス提供車両４０、広告車両６０のそれぞれからの無線アクセスは予め許可された正規のサービス提供者による自動運転車両からの無線アクセスであってその無線アクセスを許可すると判定し、その判定結果をアクセス検知車両５０に送る。一方で、サーバ１０は、外部業者端末ＥＸ１からの無線アクセスは予め許可された正規のサービス提供者による自動運転車両からの無線アクセスではなくその無線アクセスを不許可すると判定し、その判定結果をアクセス検知車両５０に送る。
【０１４４】
アクセス検知車両５０は、サーバ１０からの判定結果に基づいて、店舗車両２０がイベント開催のために許可された正規のサービス提供者による自動運転車両である旨を示す許可表示データを生成し、許可表示データを含む表示指示を店舗車両２０に送る（Ｓｔ２１）。店舗車両２０は、アクセス検知車両５０から送られた表示指示に基づいて、その表示指示に含まれる許可表示データを有機ＥＬディスプレイ２６に表示させる（Ｓｔ２２）。これにより、イベント会場（例えば駐車場ＰＲＫ１）にいる顧客ＧＳＴ１は、店舗車両２０が正規の屋外レストランであることを視覚的に判別できるので、安心して料理をオーダ等して飲食を楽しむことができる。更に、イベント開催者ＰＬＮ１にとっては、当初の想定した収支に見合うイベント開催の実行が可能となる。
【０１４５】
また、アクセス検知車両５０は、サーバ１０からの判定結果に基づいて、店舗車両２０がイベント開催のために許可された正規のサービス提供者による自動運転車両である旨を示し、かつ外部業者端末ＥＸ１がイベント開催のために許可された正規のサービス提供者ではない旨を示す許可不許可表示データを生成する。更に、アクセス検知車両５０は、例えば拡張現実（ＡＲ：Augmented Reality）技術を用いて、イベント配置図データに許可不許可表示データを仮想的に重畳したイベント配置図データ（図１３参照）を含む表示指示を、イベント参加中の顧客ＧＳＴ１の顧客端末７０に送る（Ｓｔ２３）。顧客端末７０は、アクセス検知車両５０から送られたイベント配置図データをディスプレイ７６に表示させる。
【０１４６】
図１３は、顧客端末７０に表示されるイベント配置図データの例を示す図である。図１３に示すイベント配置図データは、顧客端末７０のディスプレイ７６に表示される。このイベント配置図データには、顧客ＧＳＴ１の人物モデル（例えば図１３では女性）がイベント会場（例えば駐車場ＰＲＫ１）内を歩いている中で、駐車場ＰＲＫ１内での店舗車両２０（つまり屋外レストラン）の配置箇所を示す画像ＰＲＭ１とその店舗車両２０が正規のサービス提供者による自動運転車両であることを示す許可表示データＩＤＣ１とが対応付けて表示されている。また、イベント配置図データには、駐車場ＰＲＫ１内での外部業者の店舗（例えば屋台）の配置箇所を示す画像ＲＪＣ１とその外部業者の店舗が正規のサービス提供者による自動運転車両ではないことを示す不許可表示データＩＤＣ２とが対応付けて表示されている。これにより、顧客ＧＳＴ１は、顧客端末７０を見ながらどの店舗がイベント開催のために許可された正規の店舗（つまり屋外レストラン）であって、どの店舗がイベント開催のために許可されていない無断で割り込んだ悪意の店舗であるかを直感的に把握できる。
【０１４７】
以上により、実施の形態１に係るイベント開催支援システム１では、サーバ１０の通信部１３は、イベントの内容および日時を少なくとも含むイベント情報の受信に応じて、複数人の顧客のそれぞれの顧客端末７０にイベント会場の場所を含むイベント情報を送る。サーバ１０のプロセッサＰＲＣ１は、それぞれの顧客の操作に基づくイベントの参加意思表示の有無に基づいて、イベントの開催可否を判定する。アクセス検知車両５０は、サーバ１０によりイベントの開催の支援が許可され、イベント会場内での複数人のイベント参加顧客のそれぞれの顧客端末７０に対する無線通信サービスを提供する。サーバ１０の通信部１３は、イベントの開催の支援が許可されていない外部業者端末ＥＸ１からの無線アクセスがアクセス検知車両５０により検知された場合に、アクセス検知車両５０から送られた無線アクセスに関する情報を受信する。サーバ１０のプロセッサＰＲＣ１は、その無線アクセスに関する情報に基づいて、外部業者端末ＥＸ１からの無線アクセスを不許可するための旨をアクセス検知車両５０に指示するとともに、イベント会場内での外部業者端末ＥＸ１の存在を報知する。
【０１４８】
これにより、サーバ１０によってイベント開催中のサービス提供のために召集されていない悪意のある外部業者が無断でイベント会場（例えば駐車場ＰＲＫ１）内に立ち入って店舗を構えようとしても、その外部業者に対して無線通信サービスは提供されないうえに、サーバ１０により、外部業者の存在が広く報知される。つまり、サーバ１０は、イベント参加顧客に対し、イベント開催と関係のない外部業者が販売等する商品を購入しようとする意思を実質的に低下させることができる。従って、イベント開催支援システム１は、イベントの開催に必要なアセットを十分に所有していないイベント開催者ＰＬＮ１が想定する収支に見合うイベントの開催を効率よく支援できる。
【０１４９】
また、イベント開催支援システム１では、サーバ１０のプロセッサＰＲＣ１は、イベントの開催を支援するアクセス検知車両５０を含む複数の自動運転車両（例えば、店舗車両２０、充電サービス提供車両４０、アクセス検知車両５０、広告車両６０）のそれぞれに、イベント情報を含むサービス提供を要求する。サーバ１０のプロセッサＰＲＣ１は、その提供されるサービス内容の回答情報を複数の自動運転車両のそれぞれから取得する。これにより、サーバ１０は、イベント開催者ＰＬＮ１が希望するイベントの内容に適合する各種のサービス提供が可能な複数の自動運転車両を確保でき、イベント開催者ＰＬＮ１が希望するイベント開催の実現を効果的に支援できる。
【０１５０】
また、イベント開催支援システム１では、サーバ１０のプロセッサＰＲＣ１は、外部業者端末ＥＸ１の存在を報知するための情報を、イベント会場（例えば駐車場ＰＲＫ１）内に存在するイベント参加顧客の顧客端末７０に表示させる。これにより、顧客ＧＳＴ１は、顧客端末７０を見ながら、どの店舗がイベント開催のために許可されていない無断で割り込んだ悪意の店舗であるかを直感的に把握できる。従って、イベント開催支援システム１は、イベント参加顧客のそれぞれに対し、イベント開催のために許可された正規の店舗（つまり屋外レストラン）に向かう意思を無意識のうちに働かせることができ、イベント開催者ＰＬＮ１が想定する収支に見合う収益効果を期待させることができる。
【０１５１】
また、イベント開催支援システム１では、サーバ１０のプロセッサＰＲＣ１は、外部業者端末ＥＸ１の存在を報知するための情報を、イベント会場（例えば駐車場ＰＲＫ１）内に存在するアクセス検知車両５０が備える有機ＥＬディスプレイ５６に表示させる。これにより、アクセス検知車両５０の周囲にいるイベント参加顧客は、どの店舗がイベント開催のために許可されていない無断で割り込んだ悪意の店舗であるかを容易に把握できる。
【０１５２】
また、イベント開催支援システム１では、サーバ１０の通信部１３は、サーバ１０によりイベントの開催の支援が許可され、イベント会場（例えば駐車場ＰＲＫ１）内での複数人のイベント参加顧客に飲食物を提供する店舗車両２０との間で無線通信が可能に接続される。サーバ１０のプロセッサＰＲＣ１は、外部業者端末ＥＸ１の存在を報知する情報を、イベント会場（例えば駐車場ＰＲＫ１）内に存在する店舗車両２０が備える有機ＥＬディスプレイ２６に表示させる。これにより、店舗車両２０の周囲にいるイベント参加顧客は、どの店舗がイベント開催のために許可されていない無断で割り込んだ悪意の店舗であるかを容易に把握できる。言い換えると、店舗車両２０の周囲にいるイベント参加顧客は、自身の周囲にある店舗車両２０はイベント開催のために許可されていない無断で割り込んだ悪意の店舗ではないと把握できるので、安心して飲食物を購入でき、あるいはその場で食することができる。
【０１５３】
また、イベント開催支援システム１では、サーバ１０の通信部１３は、イベント会場（例えば駐車場ＰＲＫ１）内でのアクセス検知車両５０による無線通信サービスを含む、イベントの開催を支援する複数のサービスのそれぞれの提供場所を示すイベント配置図データをイベント参加顧客の顧客端末７０に送る。これにより、イベント参加顧客は、イベント当日のイベント会場（例えば駐車場ＰＲＫ１）内の各種のサービス提供施設等のレイアウトを顧客端末７０により容易に把握でき、イベント参加中の利便性を向上できる。
【０１５４】
また、イベント開催支援システム１では、サーバ１０のプロセッサＰＲＣ１は、アクセス検知車両５０を含む複数の自動運転車両（例えば、店舗車両２０、充電サービス提供車両４０、アクセス検知車両５０、広告車両６０）を、イベントの開催を支援する自動運転車両として許可する。このような複数の自動運転車両には、サーバ１０によりイベントの開催の支援が許可され、イベント会場内での複数人のイベント参加顧客のそれぞれの顧客端末７０への電源の充電サービスを提供する充電サービス提供車両４０が含まれる。これにより、イベント参加顧客は、イベント開催中に顧客端末７０の電源の充電が必要となった場合でも気軽に充電サービスを受けられるので、安心してイベントを楽しむことができる。
【０１５５】
以上、図面を参照しながら各種の実施の形態について説明したが、本開示はかかる例に限定されないことはいうまでもない。当業者であれば、特許請求の範囲に記載された範疇内において、各種の変更例、修正例、置換例、付加例、削除例、均等例に想到し得ることは明らかであり、それらについても当然に本開示の技術的範囲に属するものと了解される。また、発明の趣旨を逸脱しない範囲において、上述した各種の実施の形態における各構成要素を任意に組み合わせてもよい。
【０１５６】
なお、上述した実施の形態１では、イベントとして屋外レストランを例示したが、屋外レストランに限定されるものではなく、例えばたこ焼き屋のような屋台、音楽コンサート、ゲームのキャラクタを収集可能なスポットでもよいし、屋台レストランとたこ焼き屋のような屋台と音楽コンサートとゲームのキャラクタを収集可能な無線スポットとを全てあるいは一部の複数の要素を組み合わせたイベントとしてもよい。いずれにしても、それぞれの要素のサービス提供を行うためのサービス提供者から手配される自動運転車両がイベント会場（例えば駐車場ＰＲＫ１）に到着して顧客ＧＳＴ１のそれぞれに提供する。
【産業上の利用可能性】
【０１５７】
本開示は、イベントの開催に必要なアセットを十分に所有していないイベント開催者が想定する収支に見合うイベントの開催を効率よく支援するイベント開催支援システムおよびイベント開催支援方法として有用である。
【符号の説明】
【０１５８】
１  イベント開催支援システム
１０  サーバ
１１Ａ  イベント受付部
１１Ｂ  サービス提供者発信部
１１Ｃ  店舗予約部
１１Ｄ  集客人数判定部
１１Ｅ  登録／未登録判定部
１２、２２、３２、４２、５２、６２、７２、８２  メモリ
１３、２３、３３、４３、６３、７３、８３  通信部
１４、２４、３４、４４、５４、６４、７４、８４  記録装置
２０  店舗車両
２１Ａ、３１Ａ、４１Ａ、５１Ａ、６１Ａ  イベント情報取得部
２１Ｂ、３１Ｂ、４１Ｂ、５１Ｂ、６１Ｂ  サービス提供内容発信部
２１Ｃ  調理制御部
２１Ｄ、４１Ｄ、５１Ｄ、６１Ｄ  自動運転制御部
２５  調理器具
２６、５６、６６  有機ＥＬディスプレイ
３０  場所提供者端末
３１Ｃ  予約管理部
３５、７５、８５  操作部
３６、７６、８６  ディスプレイ
４０  充電サービス提供車両
４１Ｃ  充電制御部
４５  充電装置
５０  アクセス検知車両
５１Ｃ  アクセス検知判定部
５３  第１通信部
５５  第２通信部
６０  広告車両
６１Ｃ  広告表示制御部
７０  顧客端末
７１Ａ  予約入力受付部
７１Ｂ  到着時刻発信部
７１Ｃ  送迎車両手配管理部
８０  イベント開催者端末
８１Ａ  イベント情報発信部
８１Ｂ  最終イベント情報取得部
ＥＣ１、ＥＣ２、ＥＣ３  制御装置
ＰＲＣ１、ＰＲＣ２、ＰＲＣ３、ＰＲＣ４  プロセッサ
【図１】
2020166769.tif 000003
【図２】
2020166769.tif 000004
【図３】
2020166769.tif 000005
【図４】
2020166769.tif 000006
【図５】
2020166769.tif 000007
【図６】
2020166769.tif 000008
【図７】
2020166769.tif 000009
【図８】
2020166769.tif 000010
【図９】
2020166769.tif 000011
【図１０】
2020166769.tif 000012
【図１１】
2020166769.tif 000013
【図１２】
2020166769.tif 000014
【図１３】
2020166769.tif 000015